(57)【要約】【課題】大量の汚泥ｗの全てをその含水率が任意な特定値となるように正確に乾燥させる。また処理すべき汚泥ｗの量の大小に関係なく的確に乾燥させる。【解決手段】外周面中心線１５を水平状に支持されたドラム９の内方にある密閉状加熱個所に加熱水蒸気を供給して該ドラム９の外周面９ａを特定温度に保持させると共に該ドラム９を前記外周面中心線１５回りへ特定回転速度で回転させ、一方では、屎尿類処理の過程で発生する汚泥ｗを前記外周面中心線１５回りの第一特定角度位置（ローラ２１の位置）で該ドラム９の外周面９ａに薄層状且つ連続的に付着させ、このように付着させた汚泥ｗを前記外周面中心線１５回りの第二特定角度位置（スクレーパ４５の位置）で前記外周面９ａから連続的に分離させるように実施する。【選択図】        図２
2004230227.tif 000002
【特許請求の範囲】
【請求項１】
外周面中心線を水平状に支持されたドラムの内方に加熱水蒸気を供給して該ドラムの外周面を特定温度に保持させると共に該ドラムを前記外周面中心線回りへ特定回転速度で回転させ、一方では、屎尿類処理の過程で発生する汚泥を前記外周面中心線回りの第一特定角度位置で該ドラムの外周面に薄層状且つ連続的に付着させ、このように付着させた汚泥を前記外周面中心線回りの第二特定角度位置で前記外周面から連続的に分離させるように実施することを特徴とする屎尿類汚泥の乾燥処理方法。
【請求項２】
外周面中心線を水平状に支持されたドラムの内方にある密閉状加熱個所に加熱水蒸気を供給して該ドラムの外周面を特定温度に保持させると共に該ドラムを前記外周面中心線回りへ特定回転速度で回転させ、一方では、屎尿類処理の過程で発生する汚泥を前記外周面中心線回りの第一特定角度位置で該ドラムの外周面に薄層状且つ連続的に付着させ、このように付着させた汚泥を前記外周面中心線回りの第二特定角度位置で前記外周面から連続的に分離させるのであり、このように分離させた汚泥の含水率が７０％以下の任意な特定値となるように実施することを特徴とする屎尿類汚泥の乾燥処理方法。
【請求項３】
外周面中心線を水平状に支持されたドラムの内方にある密閉状加熱個所に加熱水蒸気を供給して該ドラムの外周面を特定温度に保持させると共に該ドラムを前記外周面中心線回りへ特定回転速度で回転させ、一方では、被処理物を前記外周面中心線回りの第一特定角度位置で該ドラムの外周面に薄層状且つ連続的に付着させ、このように付着させた汚泥を前記外周面中心線回りの第二特定角度位置で前記外周面から連続的に分離させるものであって、前記外周面の頂上箇所を挟む前後個所に押圧される左右向きの一対のローラを設け、該一対のローラ間に位置した前記外周面部分上を被処理液溜まり部となすほか、該一対のローラの内方を冷却してこれらローラのそれぞれの外周面を前記ドラムで乾燥処理される被処理液の性状と関連した特定温度以下に保持するものとした冷却手段を設けた構成としたドラムドライヤを形成し、該ドラムドライヤの使用により、屎尿類処理の過程で発生する汚泥を連続的に乾燥させることを特徴とする屎尿類汚泥の乾燥処理方法。
【請求項４】
外周面中心線を水平状に支持されたドラムの内方にある密閉状加熱個所に加熱水蒸気を供給して該ドラムの外周面を特定温度に保持させると共に該ドラムを前記外周面中心線回りへ特定回転速度で回転させ、一方では、被処理物を前記外周面中心線回りの第一特定角度位置で該ドラムの外周面に薄層状且つ連続的に付着させ、このように付着させた汚泥を前記外周面中心線回りの第二特定角度位置で前記外周面から連続的に分離させるものであって、前記外周面の頂上箇所を挟む前後個所に押圧される左右向きの一対のローラを設け、該一対のローラ間に位置した前記外周面部分上を被処理液溜まり部となすほか、該一対のローラの内方を冷却してこれらローラのそれぞれの外周面を前記ドラムで乾燥処理される被処理液の性状と関連した特定温度以下に保持するものとした冷却手段を設けた構成としたドラムドライヤを形成し、該ドラムドライヤの使用により、屎尿類処理の過程で発生する汚泥をこれの含水率が７０％以下の任意な特定値となるように連続的に乾燥させることを特徴とする屎尿類汚泥の乾燥処理方法。
【発明の詳細な説明】
【０００１】
【発明の属する技術分野】
本発明は、屎尿類処理の過程で発生する汚泥（屎尿類汚泥）の乾燥処理方法に関する。ここに屎尿類とは狭義の屎尿のほか、下水や家畜糞尿を含む概念である。
【０００２】
【従来の技術】
屎尿処理や該処理の過程で生成される汚泥の乾燥処理については特許文献１及び特許文献２などに開示されているのであって、その概要について説明すると次のとおりである。
図７に示すように、先ず屎尿を凝集反応槽１０８内に導入し、ここで生成された凝集反応処理物をフィルタやスクリュープレスなどの脱水手段１０９で脱水するのであり、該脱水処理により生成された汚泥（脱水ケーキ）は乾燥機１１０に送られ、ここで加熱水蒸気により間接加熱されて乾燥された後に成形装置１１１で固形燃料化されたり或いはコンポスト装置１１２で肥料化されるほか、図示しない燃焼装置で消却されたりする。
一方、脱水手段１０９による脱水処理で分離された脱離水は生物学的硝化脱窒手段１１３や膜分離手段１１４で高度に浄化処理された後、自然界１１５へ放流される。
【０００３】
上記生物学的硝化脱窒手段１１３での処理が進行すると、余剰の汚泥が生成されるものとなるが、この汚泥は点線１１６で示すように凝集反応槽１０８内へ戻されて凝集反応処理物と共に既述と同様に処理される。
【０００４】
また乾燥機１１０による処理では、前記脱水ケーキを比較的大きな密閉容器内に充たした後、ボイラで発生された加熱水蒸気を直接にその脱水ケーキに接触させないで容器壁面外側や攪拌羽根内側に供給してこれらをその加熱水蒸気で加熱すると共に、その攪拌羽根を回転させてその脱水ケーキを攪拌することにより、容器壁面や攪拌羽根の熱をその脱水ケーキ全体に出来るだけ均等に伝達させて、その脱水ケーキを適当温度に加温し、所要の含水率となるように乾燥させている。
【０００５】
【特許文献１】
特公平７−４５９８号公報（第２頁左欄第３７行〜同頁右欄第２８行、第１図）
【特許文献２】
特開平１１−３４７５９４号公報（段落番号００２０〜段落番号００２６、図２）
【０００６】
【発明が解決しようとする課題】
上記した従来の乾燥機による乾燥処理では、密閉容器内の脱水ケーキの全てを希望する任意な特定値の含水率となるように正確に乾燥させることは極めて難しいのであり、また該乾燥処理はバッチ処理で行われるため、任意量の脱水ケーキの乾燥には適さないのである。本発明はこれらの問題点に対処せんとするものである。
【０００７】
【課題を解決するための手段】
上記目的を達成するため、本発明は、請求項１に記載したように、外周面中心線を水平状に支持されたドラムの内方に加熱水蒸気を供給して該ドラムの外周面を特定温度に保持させると共に該ドラムを前記外周面中心線回りへ特定回転速度で回転させ、一方では、屎尿類処理の過程で発生する汚泥を前記外周面中心線回りの第一特定角度位置（ローラ２１の位置）で該ドラムの外周面に薄層状且つ連続的に付着させ、このように付着させた汚泥を前記外周面中心線回りの第二特定角度位置（スクレーパ４５の位置）で前記外周面から連続的に分離させるように実施することを特徴とする。
【０００８】
これによれば、大量の汚泥の微少量づつが前記ドラムの外周面上に薄層状に付着され前記ドラムから特定量の熱を供給され、加熱されて、大気中で特定量の水分を蒸発されることにより乾燥汚泥となるのであり、また前記ドラムの外周面の特定点上の汚泥の水分の蒸発量は前記ドラムの外周面の温度や、その汚泥が大気中へ移動した時点からの経過時間の長さに関連して変化する。従って、前記ドラムの外周面の温度、外周面に付着した汚泥の大気中での経過時間、前記ドラムの外周面に付着した汚泥の層厚などのそれぞれを特定値に保持することで、大量の汚泥の全てはその含水率が任意な特定値となるように正確に乾燥される。また汚泥はバッチ処理されないため、その量の大小に関係なく的確に乾燥される。
【０００９】
また請求項２記載の発明は、外周面中心線を水平状に支持されたドラムの内方にある密閉状加熱個所に加熱水蒸気を供給して該ドラムの外周面を特定温度に保持させると共に該ドラムを前記外周面中心線回りへ特定回転速度で回転させ、一方では、屎尿類処理の過程で発生する汚泥を前記外周面中心線回りの第一特定角度位置（ローラ２１の位置）で該ドラムの外周面に薄層状且つ連続的に付着させ、このように付着させた汚泥を前記外周面中心線回りの第二特定角度位置（スクレーパ４５の位置）で前記外周面から連続的に分離させるのであり、このように分離させた汚泥の含水率が７０％以下の任意な特定値となるように実施することを特徴とする。
これによれば、請求項１記載の発明と同様の作用が得られるほかに次のような作用が得られるのであって、即ち、汚泥は従来よりも正確且つ均一に含水率を７０％以下となされるのであり、このことが高品質な固形燃料や肥料の提供に寄与するものとなる。
【００１０】
また請求項３記載の発明は、外周面中心線を水平状に支持されたドラムの内方にある密閉状加熱個所に加熱水蒸気を供給して該ドラムの外周面を特定温度に保持させると共に該ドラムを前記外周面中心線回りへ特定回転速度で回転させ、一方では、被処理物を前記外周面中心線回りの第一特定角度位置（ローラ２１の位置）で該ドラムの外周面に薄層状且つ連続的に付着させ、このように付着させた汚泥を前記外周面中心線回りの第二特定角度位置（スクレーパ４５の位置）で前記外周面から連続的に分離させるものであって、前記外周面の頂上箇所を挟む前後個所に押圧される左右向きの一対のローラを設け、該一対のローラ間に位置した前記外周面部分上を被処理液溜まり部となすほか、該一対のローラの内方を冷却してこれらローラのそれぞれの外周面を前記ドラムで乾燥処理される被処理液の性状と関連した特定温度以下に保持するものとした冷却手段を設けた構成としたドラムドライヤを形成し、該ドラムドライヤの使用により、屎尿類処理の過程で発生する汚泥を連続的に乾燥させることを特徴とする。
【００１１】
この発明では、前記被処理液溜まり部内に前記汚泥が供給される。そして、請求項１記載の発明と同様な作用が得られるほかに次のような作用が得られるのであって、即ち、前記被処理液溜まり部内の前記汚泥が前記ドラムと一対の前記ローラのうちドラム回転方向前側のものとで挟み付けられて前記ドラムの外周面上に比較的薄厚の均等厚さ状に付着されるため、前記汚泥はその含水率が一層正確に任意な特定値となるように乾燥されるのである。
【００１２】
また請求項４記載の発明は、外周面中心線を水平状に支持されたドラムの内方にある密閉状加熱個所に加熱水蒸気を供給して該ドラムの外周面を特定温度に保持させると共に該ドラムを前記外周面中心線回りへ特定回転速度で回転させ、一方では、被処理物を前記外周面中心線回りの第一特定角度位置（ローラ２１の位置）で該ドラムの外周面に薄層状且つ連続的に付着させ、このように付着させた汚泥を前記外周面中心線回りの第二特定角度位置（スクレーパ４５の位置）で前記外周面から連続的に分離させるものであって、前記外周面の頂上箇所を挟む前後個所に押圧される左右向きの一対のローラを設け、該一対のローラ間に位置した前記外周面部分上を被処理液溜まり部となすほか、該一対のローラの内方を冷却してこれらローラのそれぞれの外周面を前記ドラムで乾燥処理される被処理液の性状と関連した特定温度以下に保持するものとした冷却手段を設けた構成としたドラムドライヤを形成し、該ドラムドライヤの使用により、屎尿類処理の過程で発生する汚泥をこれの含水率が７０％以下の任意な特定値となるように連続的に乾燥させることを特徴とする。
これによれば、請求項３記載の発明と同様な作用が得られるほかに次のような作用が得られるのであって、即ち、前記汚泥を材料として、さらに高品質な固形燃料や肥料の提供に寄与するものとなる。
【００１３】
【発明の実施の形態】
図１は本発明を実施するための屎尿類汚泥の乾燥処理システムを示す概要図、図２は前記乾燥処理システムに使用されるドラムドライヤ及びその関連機構を示す概要図、図３は前記ドラムドライヤの側面図、図４は前記ドラムドライヤの平面図、図５は前記ドラムドライヤの一部を省略して示した平面図、図６は前記ドラムドライヤを後方から見た図である。
【００１４】
図１において、１００は屎尿処理過程での脱水処理で生成される脱水ケーキｗを搬送始端ｐ１に受け入れて送出端ｐ２側へ搬送するベルトコンベア、１０１はベルトコンベア１００から送り出された脱水ケーキｗを入口ｐ３から受け入れてから出口ｐ４から排出するスクリューコンベア、１０２はスクリューコンベア１０１の出口ｐ４から排出された脱水ケーキｗを貯蔵部ｐ５に受け入れてスクリュー搬送部１０２ａの搬送力により送出口ｐ６から任意流量で定量的に落下させるように作動する定量送出ホッパ、１０３は定量送出ホッパ１０２の送出口ｐ６から送り出された脱水ケーキｗを搬送始端ｐ７から送出端ｐ８側へ搬送する傾斜状のベルトコンベア、そして、１０４はベルトコンベア１０３の送出端ｐ８から落下した脱水ケーキｗを受け入れて乾燥処理するドラムドライヤである。
【００１５】
１０５はドラムドライヤ１０４で乾燥された脱水ケーキｗを搬送始端ｐ９から送出端ｐ１０側へ搬送するベルトコンベア、１０６はベルトコンベア１０５の送出端ｐ１０から送り出された脱水ケーキｗを受け取って送出端ｐ１２側へ搬送する傾斜状のベルトコンベア、そして、１０７はベルトコンベア１０３の送出端ｐ１３から落下した脱水ケーキｗを受け入れて任意時に底面の開閉扉１０７ａを開放作動される荷積みホッパである。
【００１６】
上記ドラムドライヤ１０４についてさらに詳細に説明すると、次のとおりである。即ち、図２に示すように、ドラムドライヤ要部１、加熱蒸気供給手段２、排気蒸気系統３及び冷却水供給手段５を備えたものとなされている。
【００１７】
先ずドラムドライヤ要部１について図２〜図６を参照して説明する。
基礎台８の上部にドラム９が配設されており、基礎台８は脚部材１０の上端間を水平部材１１で結合すると共に脚部材１０の高さ途中箇所間を水平補強部材１２で結合したものとなされており、またドラム９は左右の円形端面板１３と周面板１４とを備え、周面板１４の中心線である外周面中心線上に回転中心軸１５を固設されたものとなされている。
【００１８】
基礎台８の左右の各水平部材１１、１１の上面には軸受１６、１６が固定され、これら軸受１６、１６を介して回転中心軸１５の左右端部が回転自在に支承されており、また基礎台８の側部には減速機構付の電動モータ１７が固定され、該電動モータ１７の出力軸に固定された原動スプロケット１８と、回転中心軸１５に固定された従動スプロケット１９との間に無端状のチェーン２０が掛け回されており、該電動モータ１７が特定方向へ回転することによりドラム９が回転中心軸１５回りの矢印方向ｆへ比較的ゆっくりと回転されるようになされている。
【００１９】
ドラム９は内部に密閉状加熱個所としての図示しない蒸気通路を形成され、該蒸気通路に加熱水蒸気を流通されることにより、該加熱水蒸気の熱が周面板１４に伝達され、外周面９ａが任意な適当温度に加熱されるものとなされている。
【００２０】
該ドラム９の外周面９ａの頂上箇所ｐを挟む前後個所には左右向きの一対のローラ２１、２２が設けてある。後側のローラ２２は後側の支持案内手段２３により上下方向へのみ移動自在に支持されている。該支持案内手段２３は基礎台８の水平部材１１から左右向きの門形枠体２４を起立させて、該門形枠体２４の上辺部の両端箇所と中央箇所の三箇所から片持ち部材２５を前方へ張り出させ、各片持ち部材２５の先端部に縦向き案内筒部材２６を固着し、該案内筒部材２６のそれぞれに縦向き支持軸２７を上下摺動変位自在に内挿して該縦向き支持軸２７の下端に左右向き支持部材２８を固定し、該左右向き支持部材２８の両端部に下方への張出状に軸受部材２９、２９を固定して、これら軸受部材２９、２９に、後側のローラ２２の両端に設けられている回転軸部材３０、３０を支持させ、さらに左右向き支持部材２８を下方へ付勢するためのスプリング又はアクチュエータ３１を縦向き支持軸２７に外挿し、該スプリング又はアクチュエータ３１の付勢力で後側のローラ２２がドラム９の外周面９ａに押し当てられるようになされている。
【００２１】
前側のローラ２１は前側の支持案内手段３２により上下方向へのみ移動自在に支持されている。該支持案内手段３２は基礎台８の前端に位置した水平部材１１から左右向きの門形枠体３３を起立させ、該門形枠体３３の左右の起立辺部の後面に縦向き案内軌道３４、３４を設け、各側の縦向き案内軌道３４に被案内体３５を上下変位のみ可能に装着して、各被案内体３５の後面に軸受部材３６を固定し、前側のローラ２１の両端に設けられている回転軸部材３７、３７をこれら軸受部材３６、３６に支持させ、前側のローラ２１が軸受部材３６、３６と共に上下変位されてドラム９の外周面９ａに押し当てられるようになされている。
各ローラ２１、２２は内部に図示しない水通路が形成されていて、該水通路内に供給されて流通される水が該ローラ２１、２２の外周面の熱を吸収するものとなされている。
【００２２】
ドラム９の外周面９ａ上で一対のローラ２１、２２間に位置した箇所は被処理液溜まり部３８となされている。該被処理液溜まり部３８はドラム９の外周面９ａと、一対のローラ２１、２２と、これらローラ２１、２２間の左右各側に設けられた囲い板３９、３９とからなっている。各囲い板３９は前後向きで縦向きとなされ、前後のローラ２１、２２巾に適合させるべく長さ途中を屈曲されており、各端部に図示しない軸孔を形成されて該軸孔をその対応する回転軸部材３０、３７に外挿され、図示しない左右方向への押し手段と下方向への押し手段とにより、各端部の側面をその対応するローラ２１、２２の端面に密接され且つ凹み円弧状となされた下辺部をドラム９の外周面９ａに密接されている。
【００２３】
後側のローラ２２の下側にはスクレーパ手段４０が設けてある。該スクレーパ手段４０は、門形枠体２４の左右後面に軸受４１、４１を設け、これら軸受４１、４１を介して左右向き支点軸４２を回動自在に支持し、該左右向き支点軸４２から複数のアーム部材４３を斜め前方へ張り出させ、これらアーム部材４３の先端にスクレーパ支持板４４を固着し、該スクレーパ支持板４４に、ドラム９の外周面９ａの巾方向箇所に密接されるスクレーパ４５を支持させ、さらにスクレーパ支持板４４と門形枠体２４から後方へ張り出させた後向き部材４６との間に空圧伸縮シリンダ装置４７を設け、該空圧伸縮シリンダ装置４７の伸張作動によりスクレーパ４５がドラム９の外周面９ａに押し当てられるようになされているのであり、ここまでがドラムドライヤ１の構成である。
【００２４】
加熱蒸気供給手段２はボイラからの蒸気供給ラインからなるものでドラムドライヤ１のドラム９内に形成された図示しない蒸気通路の入口に接続され、例えば５ｋｇ／ｃｍ２程度の加熱水蒸気を任意流量で供給できるものとなされている。
また排気蒸気系統３はドラムドライヤ１のドラム９内に形成された図示しない蒸気通路の出口に接続されている。
【００２５】
さらに冷却水供給手段５は工業用水供給ライン５６を各ローラ２１、２２内の図示しない水通路の入口個所に弁５７を介して接続させたものとなされている。
なお、前記水通路の出口には該水通路から流出した水を特定場所に導くための図示しない排水ラインが接続される。
【００２６】
次に屎尿処理の過程で生成されるもので含水率が凡そ８０〜８５％程度となされた脱水ケーキｗを上記乾燥処理システムを使用して、乾燥処理する場合の使用例について説明する。
加熱蒸気供給手段２から送られる加熱水蒸気をドラム９内の図示しない蒸気通路内に流入させることにより、ドラム９の外周面９ａを例えば１５０℃程度に保持させる。また冷却水供給手段５から各ローラ２１、２２の図示しない水通路内に工業用水を流入させて、各ローラ２１、２２の外周面を例えば５０℃以下に保持させる。
【００２７】
一方では脱水ケーキｗをベルトコンベア１００の搬送始端ｐ１に順次に供給すると共に各部を作動状態とする。これにより、脱水ケーキｗはベルトコンベヤ１００、スクリューコンベア１０１及び定量送出ホッパ１０２の作動によりドラムドライヤ１０４の被処理液溜まり部３８内に定量的に供給される。
【００２８】
こうして被処理液溜まり部３８内に溜まった脱水ケーキｗのうちドラム９の外周面近傍のものはドラム９に加熱されて被処理液溜まり部３８内にてその外周面９ａに薄層状に付着した状態となり、このように付着した薄厚の脱水ケーキ層ｗ１は時間経過に伴ってなおも外周面９ａから熱を付与されて多数の気泡の発生した状態となる。
【００２９】
該状態の脱水ケーキ層ｗ１は回転するドラム９の外周面９ａと共に脱水ケーキｗ中をドラム９回転方向へ移動され、やがて前側のローラ２１位置に達し、該ローラ２１の外周面でドラム９の外周面９ａ上に押しつけられ、ローラ２１巾方向上の厚さを均等化されつつ、被処理液溜まり部３８内から特定厚となって外方へ移動される。
【００３０】
この作動中、前後のローラ２１、２２は被処理液溜まり部３８内の脱水ケーキｗに接しているが、その外周面が凡そ５０℃以下に保持されているため、該外周面に脱水ケーキｗが付着して漸次に滞積する現象は生じない。
【００３１】
また被処理液溜まり部３８内の脱水ケーキｗはドラム９に付着してドラム９の回転に伴って被処理液溜まり部３８内から漸次に外方の大気中に送り出されるため、被処理液溜まり部３８内の脱水ケーキｗはその分だけ連続的に減少するのであり、効率的な乾燥処理を行わせるにはこの減少に見合うだけの脱水ケーキｗを連続的に送り込ませるようにする。
【００３２】
また前側のローラ２１の外周面はドラム９の外周面９ａに付着した脱水ケーキ層ｗ１に密接して回転し、また後側のローラ２２の外周面もドラム９の外周面９ａに密接して回転するため、被処理液溜まり部３８内の脱水ケーキｗが前後の各ローラ２１、２２の外周面とドラム９の外周面９ａとの間を経て外方へ漏れ出ることは生じない。
【００３３】
前側のローラ２１を経て被処理液溜まり部３８内から外方の大気中に送り出された脱水ケーキ層ｗ１はドラム９と共に回転しながらドラム９の外周面９ａから熱を供給されて均等な水分蒸発を促進され、スクレーパ４５近傍に達するまでに含水率０〜７０％程度に乾燥された状態となる。
【００３４】
そして乾燥された脱水ケーキ層ｗ１がスクレーパ４５位置に達したとき、スクレーパ４５は乾燥膜状となった脱水ケーキ層ｗ１をドラム９の外周面９ａから掻き取るのであり、このように掻き取られた乾燥汚泥ｗ２は傾斜案内板５８上に案内されるなどしてベルトコンベア１０５の搬送始端ｐ９に到達され、この後、ベルトコンベア１０６に搬送され、荷積みホッパ１０７内に集積される。
【００３５】
荷積みホッパ１０７内に集積された乾燥汚泥ｗは底面の開閉扉１０７ａ、１０７ａを開放されてトラックに荷積みされ、目的地まで運搬されるなどして、成形装置により固形燃料となされたり、コンポスト装置により肥料となされるのである。
【００３６】
【発明の効果】
上記した本発明によれば、次のような効果が得られる。
即ち、請求項１に記載したものによれば、脱水ケーキ（汚泥）ｗの微少量づつがドラム９の外周面９ａ上に薄層状に付着されドラム９から熱を供給され、大気中にて特定量の水分を蒸発されて乾燥汚泥となされるのであり、従ってドラム９の外周面９ａの温度、外周面９ａに付着した汚泥ｗの大気中での経過時間、前記ドラム９の外周面９ａに付着した汚泥ｗの層厚などのそれぞれを特定値に保持することで、大量の汚泥ｗの全てをその含水率が任意な特定値となるように正確に乾燥させることができるのであり、また汚泥ｗの微少量づつを連続的に処理できるため、その量の大小に関係なく的確に乾燥させることができる。
【００３７】
請求項２記載のものによれば、請求項１記載の発明と同様の効果が得られるほかに次のような効果が得られるのであって、即ち、汚泥ｗが従来よりも正確且つ均一に含水率を７０％以下の任意な特定値となされるため、乾燥汚泥ｗ２から生産される固形燃料やコンポストを高品質なものとなすことができる。
【００３８】
請求項３記載のものによれば、請求項１記載の発明と同様な効果が得られるほかに次のような効果が得られるのであって、即ち、被処理液溜まり部３８内の汚泥ｗがドラム９とローラ２１とに挟み付けられてドラム９の外周面９ａ上に比較的薄厚の均等厚さ状に付着されるため、汚泥ｗを一層正確な特定含水率となるように乾燥させることができるのである。
【００３９】
請求項４記載のものによれば、請求項３記載の発明と同様な効果が得られるほかに次のような効果が得られるのであって、即ち、乾燥汚泥ｗ２から、さらに一層、高品質な固形燃料やコンポストを得ることができるのである。
【図面の簡単な説明】
【図１】本発明を実施するための屎尿類処理汚泥の乾燥処理システムを示す概要図である。
【図２】前記乾燥処理システムに使用されるドラムドライヤ及びその関連機構を示す概要図である。
【図３】前記ドラムドライヤの側面図である。
【図４】前記ドラムドライヤの平面図である。
【図５】前記ドラムドライヤの一部を省略して示した平面図である。
【図６】前記ドラムドライヤを後方から見た図である。
【図７】従来の屎尿処理や該処理から生成された汚泥の処理を説明するための図である。
【符号の説明】
５  冷却水供給手段（冷却手段）
９  ドラム
９ａ  外周面
１５  回転中心軸（外周面中心線）
２１  ローラ
２２  ローラ
３８  被処理液溜まり部
１０４  ドラムドライヤ
ｐ  前頂上箇所
ｗ  汚泥（脱水ケーキ）
【図１】
2004230227.tif 000003
【図２】
2004230227.tif 000004
【図３】
2004230227.tif 000005
【図４】
2004230227.tif 000006
【図５】
2004230227.tif 000007
【図６】
2004230227.tif 000008
【図７】
2004230227.tif 000009
【手続補正書】
【提出日】平成15年2月4日(2003.2.4)
【手続補正１】
【補正対象書類名】明細書
【補正対象項目名】全文
【補正方法】変更
【補正の内容】
【特許請求の範囲】
【請求項１】外周面中心線を水平状に支持されたドラムの内方に加熱水蒸気を供給して該ドラムの外周面を特定温度に保持させると共に該ドラムを前記外周面中心線回りへ特定回転速度で回転させ、一方では、屎尿類処理の過程で発生する汚泥を前記外周面中心線回りの上方部分に於ける第一特定角度範囲で該ドラムの外周面に薄層状且つ連続的に付着させ、このように付着させた汚泥を前記外周面中心線回りの下方部分に於ける第二特定角度範囲で前記外周面から連続的に分離させるように実施することを特徴とする屎尿類汚泥の乾燥処理方法。
【請求項２】外周面中心線を水平状に支持されたドラムの内方にある密閉状加熱個所に加熱水蒸気を供給して該ドラムの外周面を特定温度に保持させると共に該ドラムを前記外周面中心線回りへ特定回転速度で回転させ、一方では、屎尿類処理の過程で発生する汚泥を前記外周面中心線回りの上方部分に於ける第一特定角度範囲で該ドラムの外周面に薄層状且つ連続的に付着させ、このように付着させた汚泥を前記外周面中心線回りの下方部分に於ける第二特定角度範囲で前記外周面から連続的に分離させるのであり、このように分離させた汚泥の含水率が７０％以下の任意な特定値となるように実施することを特徴とする屎尿類汚泥の乾燥処理方法。
【請求項３】外周面中心線を左右向きの水平状に支持されたドラムの内方にある密閉状加熱個所に加熱水蒸気を供給して該ドラムの外周面を特定温度に保持させると共に該ドラムを前記外周面中心線回りへ特定回転速度で回転させ、一方では、被処理物を前記外周面中心線回りの上方部分に於ける第一特定角度範囲で該ドラムの外周面に薄層状且つ連続的に付着させ、このように付着させた汚泥を前記外周面中心線回りの下方部分に於ける第二特定角度範囲で前記外周面から連続的に分離させるものであって、前記外周面の頂上箇所を挟む前後個所に押圧される左右向きの一対のローラを設け、該一対のローラ間に位置した前記外周面部分上を被処理液溜まり部となすほか、該一対のローラの内方を冷却してこれらローラのそれぞれの外周面を前記ドラムで乾燥処理される被処理液の性状と関連した特定温度以下に保持するものとした冷却手段を設けた構成としたドラムドライヤを形成し、該ドラムドライヤの使用により、屎尿類処理の過程で発生する汚泥を連続的に乾燥させることを特徴とする屎尿類汚泥の乾燥処理方法。
【請求項４】外周面中心線を左右向きの水平状に支持されたドラムの内方にある密閉状加熱個所に加熱水蒸気を供給して該ドラムの外周面を特定温度に保持させると共に該ドラムを前記外周面中心線回りへ特定回転速度で回転させ、一方では、被処理物を前記外周面中心線回りの上方部分に於ける第一特定角度範囲で該ドラムの外周面に薄層状且つ連続的に付着させ、このように付着させた汚泥を前記外周面中心線回りの下方部分に於ける第二特定角度範囲で前記外周面から連続的に分離させるものであって、前記外周面の頂上箇所を挟む前後個所に押圧される左右向きの一対のローラを設け、該一対のローラ間に位置した前記外周面部分上を被処理液溜まり部となすほか、該一対のローラの内方を冷却してこれらローラのそれぞれの外周面を前記ドラムで乾燥処理される被処理液の性状と関連した特定温度以下に保持するものとした冷却手段を設けた構成としたドラムドライヤを形成し、該ドラムドライヤの使用により、屎尿類処理の過程で発生する汚泥をこれの含水率が７０％以下の任意な特定値となるように連続的に乾燥させることを特徴とする屎尿類汚泥の乾燥処理方法。
【発明の詳細な説明】
【０００１】
【発明の属する技術分野】
本発明は、屎尿類処理の過程で発生する汚泥（屎尿類汚泥）の乾燥処理方法に関する。ここに屎尿類とは狭義の屎尿のほか、下水や家畜糞尿や生ゴミを含む概念である。
【０００２】
【従来の技術】
屎尿は種々の方式で処理されており、その一つとして標準脱窒素処理方式と称されているものがある。
該処理方式は、受入貯溜設備から供給される屎尿など（被処理液）を希釈後、生物学的脱窒素法により処理するものであり、さらに詳細には、脱窒素槽、硝酸化槽、二次脱窒素槽、再曝気槽及び沈殿槽を組み合わせた生物学的脱窒素手段を備え、該手段で被処理液を脱窒素処理すると共に余剰汚泥などを沈殿させ、次に前記沈殿槽内の上層液である被処理液を高度処理設備でさらに高度に浄化し、最後に消毒設備で殺菌した後、自然界に放流するように実施するものである。
【０００３】
また沈殿槽内で沈殿した汚泥は汚泥処理設備に取り出し、ここで重力濃縮装置、浮上濃縮装置及び機械濃縮装置などで濃縮し、次に汚泥脱水設備に移動して、ここで遠心脱水機や加圧脱水機などで脱水し、８５％以下の含水率の脱水汚泥（脱水ケーキ）となされる。この脱水ケーキは汚泥乾燥設備で乾燥されるなどして適宜に処理される。
上記した標準脱窒素処理方式は例えば非特許文献１などに記載されている。
【０００４】
また屎尿処理過程で得られた脱水ケーキなどを乾燥させる乾燥機としては例えば特許文献１に示すようなものがる。
該乾燥機による乾燥処理では、例えば脱水ケーキに他物を混合して適当に処理した被処理物を比較的大きな密閉容器内に充たした後、ボイラで発生された加熱水蒸気を直接に前記被処理物に接触させないで容器壁面外側や攪拌羽根内側に供給してこれらをその加熱水蒸気で加熱すると共に、その攪拌羽根を回転させて前記被処理物を攪拌することにより、容器壁面や攪拌羽根の熱を前記被処理物に伝達させてその被処理物を適当温度に加温し、所要の含水率となるように乾燥させている。
こうして乾燥された汚泥などは成形装置で固形燃料化されたり或いはコンポスト装置で肥料化されるか、又は図示しない燃焼装置で焼却されたりする。
【０００５】
【特許文献１】
特開平１１−３４７５９４号公報（段落番号００２０〜段落番号００
２６、図２）
【非特許文献１】
「し尿処理施設構造指針の解説」、社団法人全国都市清掃会議、昭和６３年
【０００６】
【発明が解決しようとする課題】
上記した従来の乾燥機による乾燥処理では、密閉容器内の脱水ケーキの全てを希望する任意な特定値の含水率となるように正確に乾燥させることは極めて難しいのであり、また該乾燥処理はバッチ処理で行われるため、任意量の脱水ケーキの乾燥には適さないのである。本発明はこれらの問題点に対処せんとするものである。
【０００７】
【課題を解決するための手段】
上記目的を達成するため、本発明は、請求項１に記載したように、外周面中心線を水平状に支持されたドラムの内方に加熱水蒸気を供給して該ドラムの外周面を特定温度に保持させると共に該ドラムを前記外周面中心線回りへ特定回転速度で回転させ、一方では、屎尿類処理の過程で発生する汚泥を前記外周面中心線回りの上方部分に於ける第一特定角度範囲（ローラ２１の位置）で該ドラムの外周面に薄層状且つ連続的に付着させ、このように付着させた汚泥を前記外周面中心線回りの下方部分に於ける第二特定角度範囲（スクレーパ４５の位置）で前記外周面から連続的に分離させるように実施することを特徴とする。
【０００８】
これによれば、大量の汚泥の微少量づつが前記ドラムの外周面上に薄層状に付着され前記ドラムから特定量の熱を供給され、加熱されて、大気中で特定量の水分を蒸発されることにより乾燥汚泥となるのであり、また前記ドラムの外周面の特定点上の汚泥の水分の蒸発量は前記ドラムの外周面の温度や、その汚泥が大気中へ移動した時点からの経過時間の長さに関連して変化する。従って、前記ドラムの外周面の温度、外周面に付着した汚泥の大気中での経過時間、前記ドラムの外周面に付着した汚泥の層厚などのそれぞれを特定値に保持することで、大量の汚泥の全てはその含水率が任意な特定値となるように正確に乾燥される。また汚泥はバッチ処理されないため、その量の大小に関係なく的確に乾燥される。
【０００９】
また請求項２記載の発明は、外周面中心線を水平状に支持されたドラムの内方にある密閉状加熱個所に加熱水蒸気を供給して該ドラムの外周面を特定温度に保持させると共に該ドラムを前記外周面中心線回りへ特定回転速度で回転させ、一方では、屎尿類処理の過程で発生する汚泥を前記外周面中心線回りの上方部分に於ける第一特定角度範囲（ローラ２１の位置）で該ドラムの外周面に薄層状且つ連続的に付着させ、このように付着させた汚泥を前記外周面中心線回りの下方部分に於ける第二特定角度範囲（スクレーパ４５の位置）で前記外周面から連続的に分離させるのであり、このように分離させた汚泥の含水率が７０％以下の任意な特定値となるように実施することを特徴とする。
これによれば、請求項１記載の発明と同様の作用が得られるほかに次のような作用が得られるのであって、即ち、汚泥は従来よりも正確且つ均一に含水率を７０％以下となされるのであり、このことが高品質な固形燃料や肥料の提供に寄与するものとなる。
【００１０】
また請求項３記載の発明は、外周面中心線を左右向きの水平状に支持されたドラムの内方にある密閉状加熱個所に加熱水蒸気を供給して該ドラムの外周面を特定温度に保持させると共に該ドラムを前記外周面中心線回りへ特定回転速度で回転させ、一方では、被処理物を前記外周面中心線回りの上方部分に於ける第一特定角度範囲（ローラ２１の位置）で該ドラムの外周面に薄層状且つ連続的に付着させ、このように付着させた汚泥を前記外周面中心線回りの下方部分に於ける第二特定角度範囲（スクレーパ４５の位置）で前記外周面から連続的に分離させるものであって、前記外周面の頂上箇所を挟む前後個所に押圧される左右向きの一対のローラを設け、該一対のローラ間に位置した前記外周面部分上を被処理液溜まり部となすほか、該一対のローラの内方を冷却してこれらローラのそれぞれの外周面を前記ドラムで乾燥処理される被処理液の性状と関連した特定温度以下に保持するものとした冷却手段を設けた構成としたドラムドライヤを形成し、該ドラムドライヤの使用により、屎尿類処理の過程で発生する汚泥を連続的に乾燥させることを特徴とする。
【００１１】
この発明では、前記被処理液溜まり部内に前記汚泥が供給される。そして、請求項１記載の発明と同様な作用が得られるほかに次のような作用が得られるのであって、即ち、前記被処理液溜まり部内の前記汚泥が前記ドラムと一対の前記ローラのうちドラム回転方向前側のものとで挟み付けられて前記ドラムの外周面上に比較的薄厚の均等厚さ状に付着されるため、前記汚泥はその含水率が一層正確に任意な特定値となるように乾燥されるのである。
【００１２】
また請求項４記載の発明は、外周面中心線を左右向きの水平状に支持されたドラムの内方にある密閉状加熱個所に加熱水蒸気を供給して該ドラムの外周面を特定温度に保持させると共に該ドラムを前記外周面中心線回りへ特定回転速度で回転させ、一方では、被処理物を前記外周面中心線回りの上方部分に於ける第一特定角度範囲（ローラ２１の位置）で該ドラムの外周面に薄層状且つ連続的に付着させ、このように付着させた汚泥を前記外周面中心線回りの下方部分に於ける第二特定角度範囲（スクレーパ４５の位置）で前記外周面から連続的に分離させるものであって、前記外周面の頂上箇所を挟む前後個所に押圧される左右向きの一対のローラを設け、該一対のローラ間に位置した前記外周面部分上を被処理液溜まり部となすほか、該一対のローラの内方を冷却してこれらローラのそれぞれの外周面を前記ドラムで乾燥処理される被処理液の性状と関連した特定温度以下に保持するものとした冷却手段を設けた構成としたドラムドライヤを形成し、該ドラムドライヤの使用により、屎尿類処理の過程で発生する汚泥をこれの含水率が７０％以下の任意な特定値となるように連続的に乾燥させることを特徴とする。これによれば、請求項３記載の発明と同様な作用が得られるほかに次のような作用が得られるのであって、即ち、前記汚泥を材料として、さらに高品質な固形燃料や肥料の提供に寄与するものとなる。
【００１３】
【発明の実施の形態】
図１は本発明を実施するための屎尿類汚泥の乾燥処理システムを示す概要図、図２は前記乾燥処理システムに使用されるドラムドライヤ及びその関連機構を示す概要図、図３は前記ドラムドライヤの側面図、図４は前記ドラムドライヤの平面図、図５は前記ドラムドライヤの一部を省略して示した平面図、図６は前記ドラムドライヤを後方から見た図である。
【００１４】
図１において、１００は屎尿処理過程での脱水処理で生成される脱水ケーキｗを搬送始端ｐ１に受け入れて送出端ｐ２側へ搬送するベルトコンベア、１０１はベルトコンベア１００から送り出された脱水ケーキｗを入口ｐ３から受け入れてから出口ｐ４から排出するスクリューコンベア、１０２はスクリューコンベア１０１の出口ｐ４から排出された脱水ケーキｗを貯貯部ｐ５に受け入れてスクリュー搬送部１０２ａの搬送力により送出口ｐ６から任意流量で定量的に落下させるように作動する定量送出ホッパ、１０３は定量送出ホッパ１０２の送出口ｐ６から送り出された脱水ケーキｗを搬送始端ｐ７から送出端ｐ８側へ搬送する傾斜状のベルトコンベア、そして、１０４はベルトコンベア１０３の送出端ｐ８から落下した脱水ケーキｗを受け入れて乾燥処理するドラムドライヤである。
【００１５】
１０５はドラムドライヤ１０４で乾燥された脱水ケーキｗを搬送始端ｐ９から送出端ｐ１０側へ搬送するベルトコンベア、１０６はベルトコンベア１０５の送出端ｐ１０から送り出された脱水ケーキｗを受け取って送出端ｐ１２側へ搬送する傾斜状のベルトコンベア、そして、１０７はベルトコンベア１０３の送出端ｐ１３から落下した脱水ケーキｗを受け入れて任意時に底面の開閉扉１０７ａを開放作動される荷積みホッパである。
【００１６】
上記ドラムドライヤ１０４についてさらに詳細に説明すると、次のとおりである。即ち、図２に示すように、ドラムドライヤ要部１、加熱蒸気供給手段２、排気蒸気系統３及び冷却水供給手段５を備えたものとなされている。
【００１７】
先ずドラムドライヤ要部１について図２〜図６を参照して説明する。
基礎台８の上部にドラム９が配設されており、基礎台８は脚部材１０の上端間を水平部材１１で結合すると共に脚部材１０の高さ途中箇所間を水平補強部材１２で結合したものとなされており、またドラム９は左右の円形端面板１３と周面板１４とを備え、周面板１４の中心線である外周面中心線上に回転中心軸１５を固設されたものとなされている。
【００１８】
基礎台８の左右の各水平部材１１、１１の上面には軸受１６、１６が固定され、これら軸受１６、１６を介して回転中心軸１５の左右端部が回転自在に支承されており、また基礎台８の側部には減速機構付の電動モータ１７が固定され、該電動モータ１７の出力軸に固定された原動スプロケット１８と、回転中心軸１５に固定された従動スプロケット１９との間に無端状のチェーン２０が掛け回されており、該電動モータ１７が特定方向へ回転することによりドラム９が回転中心軸１５回りの矢印方向ｆへ比較的ゆっくりと回転されるようになされている。
【００１９】
ドラム９は内部に密閉状加熱個所としての図示しない蒸気通路を形成され、該蒸気通路に加熱水蒸気を流通されることにより、該加熱水蒸気の熱が周面板１４に伝達され、外周面９ａが任意な適当温度に加熱されるものとなされている。
【００２０】
該ドラム９の外周面９ａの頂上箇所ｐを挟む前後個所には左右向きの一対のローラ２１、２２が設けてある。後側のローラ２２は後側の支持案内手段２３により上下方向へのみ移動自在に支持されている。該支持案内手段２３は基礎台８の水平部材１１から左右向きの門形枠体２４を起立させて、該門形枠体２４の上辺部の両端箇所と中央箇所の三箇所から片持ち部材２５を前方へ張り出させ、各片持ち部材２５の先端部に縦向き案内筒部材２６を固着し、該案内筒部材２６のそれぞれに縦向き支持軸２７を上下摺動変位自在に内挿して該縦向き支持軸２７の下端に左右向き支持部材２８を固定し、該左右向き支持部材２８の両端部に下方への張出状に軸受部材２９、２９を固定して、これら軸受部材２９、２９に、後側のローラ２２の両端に設けられている回転軸部材３０、３０を支持させ、さらに左右向き支持部材２８を下方へ付勢するためのスプリング又はアクチュエータ３１を縦向き支持軸２７に外挿し、該スプリング又はアクチュエータ３１の付勢力で後側のローラ２２がドラム９の外周面９ａに押し当てられるようになされている。
【００２１】
前側のローラ２１は前側の支持案内手段３２により上下方向へのみ移動自在に支持されている。該支持案内手段３２は基礎台８の前端に位置した水平部材１１から左右向きの門形枠体３３を起立させ、該門形枠体３３の左右の起立辺部の後面に縦向き案内軌道３４、３４を設け、各側の縦向き案内軌道３４に被案内体３５を上下変位のみ可能に装着して、各被案内体３５の後面に軸受部材３６を固定し、前側のローラ２１の両端に設けられている回転軸部材３７、３７をこれら軸受部材３６、３６に支持させ、前側のローラ２１が軸受部材３６、３６と共に上下変位されてドラム９の外周面９ａに押し当てられるようになされている。
各ローラ２１、２２は内部に図示しない水通路が形成されていて、該水通路内に供給されて流通される水が該ローラ２１、２２の外周面の熱を吸収するものとなされている。
【００２２】
ドラム９の外周面９ａ上で一対のローラ２１、２２間に位置した箇所は被処理液溜まり部３８となされている。該被処理液溜まり部３８はドラム９の外周面９ａと、一対のローラ２１、２２と、これらローラ２１、２２間の左右各側に設けられた囲い板３９、３９とからなっている。各囲い板３９は前後向きで縦向きとなされ、前後のローラ２１、２２巾に適合させるべく長さ途中を屈曲されており、各端部に図示しない軸孔を形成されて該軸孔をその対応する回転軸部材３０、３７に外挿され、図示しない左右方向への押し手段と下方向への押し手段とにより、各端部の側面をその対応するローラ２１、２２の端面に密接され且つ凹み円弧状となされた下辺部をドラム９の外周面９ａに密接されている。
【００２３】
後側のローラ２２の下側にはスクレーパ手段４０が設けてある。該スクレーパ手段４０は、門形枠体２４の左右後面に軸受４１、４１を設け、これら軸受４１、４１を介して左右向き支点軸４２を回動自在に支持し、該左右向き支点軸４２から複数のアーム部材４３を斜め前方へ張り出させ、これらアーム部材４３の先端にスクレーパ支持板４４を固着し、該スクレーパ支持板４４に、ドラム９の外周面９ａの巾方向箇所に密接されるスクレーパ４５を支持させ、さらにスクレーパ支持板４４と門形枠体２４から後方へ張り出させた後向き部材４６との間に空圧伸縮シリンダ装置４７を設け、該空圧伸縮シリンダ装置４７の伸張作動によりスクレーパ４５がドラム９の外周面９ａに押し当てられるようになされているのであり、ここまでがドラムドライヤ１の構成である。
【００２４】
加熱蒸気供給手段２はボイラからの蒸気供給ラインからなるものでドラムドライヤ１のドラム９内に形成された図示しない蒸気通路の入口に接続され、例えば５ｋｇ／ｃｍ２程度の加熱水蒸気を任意流量で供給できるものとなされている。また排気蒸気系統３はドラムドライヤ１のドラム９内に形成された図示しない蒸気通路の出口に接続されている。
【００２５】
さらに冷却水供給手段５は工業用水供給ライン５６を各ローラ２１、２２内の図示しない水通路の入口個所に弁５７を介して接続させたものとなされている。
なお、前記水通路の出口には該水通路から流出した水を特定場所に導くための図示しない排水ラインが接続される。
【００２６】
次に屎尿処理の過程で生成されるもので含水率が凡そ８０〜８５％程度となされた脱水ケーキｗを上記乾燥処理システムを使用して、乾燥処理する場合の使用例について説明する。
加熱蒸気供給手段２から送られる加熱水蒸気をドラム９内の図示しない蒸気通路内に流入させることにより、ドラム９の外周面９ａを例えば１００℃程度以上に保持させる。また冷却水供給手段５から各ローラ２１、２２の図示しない水通路内に工業用水を流入させて、各ローラ２１、２２の外周面を例えば５０℃以下に保持させる。
（なお、特許第２６４１３７８号公報に示すものに準じて、ドラム９の近傍周囲を真空チャンバで覆うことにより、ドラム９の外周面９ａなどを含む空間を負圧となすことも可能であるが、このような場合には、ドラム９の外周面９ａは例えば例えば７０℃程度以上に保持させることで足りる。）
【００２７】
一方では脱水ケーキｗをベルトコンベア１００の搬送始端ｐ１に順次に供給すると共に各部を作動状態とする。これにより、脱水ケーキｗはベルトコンベヤ１００、スクリューコンベア１０１及び定量送出ホッパ１０２の作動によりドラムドライヤ１０４の被処理液溜まり部３８内に定量的に供給される。
【００２８】
こうして被処理液溜まり部３８内に溜まった脱水ケーキｗのうちドラム９の外周面近傍のものはドラム９に加熱されて被処理液溜まり部３８内にてその外周面９ａに薄層状に付着した状態となり、このように付着した薄厚の脱水ケーキ層ｗ１は時間経過に伴ってなおも外周面９ａから熱を付与されて多数の気泡の発生した状態となる。
【００２９】
該状態の脱水ケーキ層ｗ１は回転するドラム９の外周面９ａと共に脱水ケーキｗ中をドラム９回転方向へ移動され、やがて前側のローラ２１位置に達し、該ローラ２１の外周面でドラム９の外周面９ａ上に押しつけられ、ローラ２１巾方向上の厚さを均等化されつつ、被処理液溜まり部３８内から特定厚となって外方へ移動される。
【００３０】
この作動中、前後のローラ２１、２２は被処理液溜まり部３８内の脱水ケーキｗに接しているが、その外周面が凡そ５０℃以下に保持されているため、該外周面に脱水ケーキｗが付着して漸次に滞積する現象は生じない。
【００３１】
また被処理液溜まり部３８内の脱水ケーキｗはドラム９に付着してドラム９の回転に伴って被処理液溜まり部３８内から漸次に外方の大気中に送り出されるため、被処理液溜まり部３８内の脱水ケーキｗはその分だけ連続的に減少するのであり、効率的な乾燥処理を行わせるにはこの減少に見合うだけの脱水ケーキｗを連続的に送り込ませるようにする。
【００３２】
また前側のローラ２１の外周面はドラム９の外周面９ａに付着した脱水ケーキ層ｗ１に密接して回転し、また後側のローラ２２の外周面もドラム９の外周面９ａに密接して回転するため、被処理液溜まり部３８内の脱水ケーキｗが前後の各ローラ２１、２２の外周面とドラム９の外周面９ａとの間を経て外方へ漏れ出ることは生じない。
【００３３】
前側のローラ２１を経て被処理液溜まり部３８内から外方の大気中に送り出された脱水ケーキ層ｗ１はドラム９と共に回転しながらドラム９の外周面９ａから熱を供給されて均等な水分蒸発を促進され、スクレーパ４５近傍に達するまでに含水率０〜７０％程度に乾燥された状態となる。
【００３４】
そして乾燥された脱水ケーキ層ｗ１がスクレーパ４５位置に達したとき、スクレーパ４５は乾燥膜状となった脱水ケーキ層ｗ１をドラム９の外周面９ａから掻き取るのであり、このように掻き取られた乾燥汚泥ｗ２は傾斜案内板５８上に案内されるなどしてベルトコンベア１０５の搬送始端ｐ９に到達され、この後、ベルトコンベア１０６に搬送され、荷積みホッパ１０７内に集積される。
【００３５】
荷積みホッパ１０７内に集積された乾燥汚泥ｗは底面の開閉扉１０７ａ、１０７ａを開放されてトラックに荷積みされ、目的地まで運搬されるなどして、成形装置により固形燃料や助燃剤などとなされたり、コンポスト装置により肥料となされるのである。
【００３６】
上記実施例のドラムドライヤ１０４は最適例を示したものであって、これを図７に示すようなものに変形しても差し支えない。
図７Ａに示すものは、一対のドラム９、９を左右に配置し、各ドラム９の下部個所にスクレーパ４５を設け、各ドラム９を矢印方向ｆ１へ回転させるものとなされている。そして各ドラム９は先の実施例のものに準じて内方に加熱蒸気を供給されてその外周面９ａを加熱される。使用時には被処理液溜まり部３８に脱水ケーキｗを供給し、各ドラム９を加熱状態として回転させる。これにより、脱水ケーキｗは左右のドラム９、９の外周面に付着してこれらドラム９、９と共に矢印方向ｆ１へ移動され、スクレーパ４５位置に到達するまでに乾燥されて、スクレーパ４５によりドラム９から掻き取られる。
【００３７】
また図７Ｂに示すものは、図７Ａに示すものに準じて、一対のドラム９、９を左右に配置し、各ドラム９に対応させてスクレーパ４５を設けている。そして左右のドラム９、９の間に僅かな隙間を設けると共にスクレーパ４５、４５の位置を上寄りとなし、各ドラム９を矢印方向ｆ２へ回転させるものとなされている。
左右のドラム９、９の下方には滴下した脱水ケーキｗを受けるための容器５９が設けられる。各ドラム９は図７Ａのものと同様に外周面９ａを加熱される。使用時には被処理液溜まり部３８に脱水ケーキｗを供給し、各ドラム９を加熱状態として回転させる。これにより、脱水ケーキｗは左右のドラム９、９の外周面９ａに付着してこれらドラム９、９と共に矢印方向ｆ２へ移動され、スクレーパ４５位置に到達するまでに乾燥されて、スクレーパ４５によりドラム９から掻き取られる。
【００３８】
さらに図７Ｃは単一のドラム９を矢印方向ｆ１の回転可能に設け、ドラム９の外周面９ａ上部に液溜め板６０を設け、ドラム９の特定個所にスクレーパ４５を設けたものとなされており、ドラム９の外周面９ａは図７Ａのものと同様に加熱される。使用時には被処理液溜まり部３８に脱水ケーキｗを供給し、ドラム９を回転させる。これにより、脱水ケーキｗはドラム９の外周面９ａに付着してドラム９と共に矢印方向ｆ１へ移動され、スクレーパ４５位置に到達するまでに乾燥されて、スクレーパ４５によりドラム９から掻き取られる。
【００３９】
【発明の効果】
上記した本発明によれば、次のような効果が得られる。
即ち、請求項１に記載したものによれば、脱水ケーキ（汚泥）ｗの微少量づつがドラム９の外周面９ａ上に薄層状に付着されドラム９から熱を供給され、大気中にて特定量の水分を蒸発されて乾燥汚泥となされるのであり、従ってドラム９の外周面９ａの温度、外周面９ａに付着した汚泥ｗの大気中での経過時間、前記ドラム９の外周面９ａに付着した汚泥ｗの層厚などのそれぞれを特定値に保持することで、大量の汚泥ｗの全てをその含水率が任意な特定値となるように正確に乾燥させることができるのであり、また汚泥ｗの微少量づつを連続的に処理できるため、その量の大小に関係なく的確に乾燥させることができる。さらにはドラムドライヤ１０４がドラム９の外周面で脱水ケーキｗを処理するものであるため保守管理が比較的容易となって、脱水ケーキｗの乾燥処理に要するコストを低減させることができる。
【００４０】
請求項２記載のものによれば、請求項１記載の発明と同様の効果が得られるほかに次のような効果が得られるのであって、即ち、汚泥ｗが従来よりも正確且つ均一に含水率を７０％以下の任意な特定値となされるため、乾燥汚泥ｗ２から生産される固形燃料（助燃剤も含む）やコンポストを高品質なものとなすことができる。
【００４１】
請求項３記載のものによれば、請求項１記載の発明と同様な効果が得られるほかに次のような効果が得られるのであって、即ち、被処理液溜まり部３８内の汚泥ｗがドラム９とローラ２１とに挟み付けられてドラム９の外周面９ａ上に比較的薄厚の均等厚さ状に付着されるため、汚泥ｗを一層正確な特定含水率となるように乾燥させることができるのである。
【００４２】
請求項４記載のものによれば、請求項３記載の発明と同様な効果が得られるほかに次のような効果が得られるのであって、即ち、乾燥汚泥ｗ２から、さらに高品質な固形燃料やコンポストを得ることができるのである。
【図面の簡単な説明】
【図１】本発明を実施するための屎尿類処理汚泥の乾燥処理システムを示す概要図である。
【図２】前記乾燥処理システムに使用されるドラムドライヤ及びその関連機構を示す概要図である。
【図３】前記ドラムドライヤの側面図である。
【図４】前記ドラムドライヤの平面図である。
【図５】前記ドラムドライヤの一部を省略して示した平面図である。
【図６】前記ドラムドライヤを後方から見た図である。
【図７】前記ドラムドライヤの変形例を示す図である。
【符号の説明】
５  冷却水供給手段（冷却手段）
９  ドラム
９ａ  外周面
１５  回転中心軸（外周面中心線）
２１  ローラ
２２  ローラ
３８  被処理液溜まり部
１０４  ドラムドライヤ
ｐ  前頂上箇所
ｗ  汚泥（脱水ケーキ）




【手続補正書】
【提出日】平成15年2月18日(2003.2.18)
【手続補正１】
【補正対象書類名】明細書
【補正対象項目名】００１４
【補正方法】変更
【補正の内容】
【００１４】
図１において、１００は屎尿処理過程での脱水処理で生成される脱水ケーキｗを搬送始端ｐ１に受け入れて送出端ｐ２側へ搬送するベルトコンベア、１０１はベルトコンベア１００から送り出された脱水ケーキｗを入口ｐ３から受け入れてから出口ｐ４から排出するスクリューコンベア、１０２はスクリューコンベア１０１の出口ｐ４から排出された脱水ケーキｗを貯蔵部ｐ５に受け入れてスクリュー搬送部１０２ａの搬送力により送出口ｐ６から任意流量で定量的に落下させるように作動する定量送出ホッパ、１０３は定量送出ホッパ１０２の送出口ｐ６から送り出された脱水ケーキｗを搬送始端ｐ７から送出端ｐ８側へ搬送する傾斜状のベルトコンベア、そして、１０４はベルトコンベア１０３の送出端ｐ８から落下した脱水ケーキｗを受け入れて乾燥処理するドラムドライヤである。


【手続補正２】
【補正対象書類名】図面
【補正対象項目名】図１
【補正方法】変更
【補正の内容】
【図１】
2004230227.tif 000010